(57)【要約】【課題】試運転を確実に行わせることができると共に、試運転の実行の有無を判別することができる給湯システムおよび給湯システムの制御方法を提供する。【解決手段】貯湯式給湯システムは、加熱給湯部１と、制御装置とを備える。加熱給湯部１は、水を加熱して温水を生成し、温水を水栓１１や浴槽１２の浴槽吐出口１２ｂなどの給湯口に供給する。制御装置は、加熱給湯部１を制御して加熱給湯部１の動作を確認するための沸き上げ試運転を行わせ、沸き上げ試運転が完了した場合には沸き上げ試運転が完了したことを示す沸き上げ試運転完了フラグを成立状態として記憶する。また、制御装置は、加熱給湯部１の電源が投入されたとき、記憶されている沸き上げ試運転完了フラグの状態を確認し、沸き上げ試運転完了フラグが成立状態ではない場合は使用者からの通常運転入力を受け付けない試運転モードに移行して沸き上げ試運転を行わせる。【選択図】図１
2007285657.tif 000002
【特許請求の範囲】
【請求項１】
水を加熱して温水を生成し、前記温水を給湯口（１１，１２ｂ）に供給する加熱給湯部（１）と、
前記加熱給湯部（１）を制御して前記加熱給湯部（１）の動作を確認するための第１試運転を行わせ、前記第１試運転が完了した場合には前記第１試運転が完了したことを示す第１試運転完了フラグを成立状態として記憶する制御装置（５）と、
を備え、
前記制御装置（５）は、前記加熱給湯部（１）の電源が投入されたとき、記憶されている前記第１試運転完了フラグの状態を確認し、前記第１試運転完了フラグが成立状態ではない場合は使用者からの通常運転入力を受け付けない試運転モードに移行して前記第１試運転を行わせる、
給湯システム（１００）。
【請求項２】
前記制御装置（５）は、前記加熱給湯部（１）の電源が投入されたときに前記第１試運転完了フラグが成立状態である場合は、前記第１試運転を行わせずに使用者からの前記通常運転入力を受け付け可能とする通常運転モードに移行する、
請求項１に記載の給湯システム（１００）。
【請求項３】
前記制御装置（５）は、前記加熱給湯部（１）を制御して前記第１試運転と異なる第２試運転を行わせることができ、前記第２試運転が完了した場合には前記第２試運転が完了したことを示す第２試運転完了フラグを成立状態として記憶し、前記加熱給湯部（１）の電源が投入されたときに前記第２試運転完了フラグが成立状態ではない場合は前記試運転モードに移行して前記第２試運転を行わせる、
請求項１に記載の給湯システム（１００）。
【請求項４】
前記制御装置（５）は、前記加熱給湯部（１）の電源が投入されたときに前記第１試運転完了フラグと前記第２試運転完了フラグが共に成立状態である場合は、前記第１試運転および前記第２試運転を行わせずに使用者からの前記通常運転入力を受け付け可能とする通常運転モードに移行する、
請求項３に記載の給湯システム（１００）。
【請求項５】
前記制御装置（５）は、前記第１試運転を含む複数の試運転を行わせ、前記試運転が完了したことを示す試運転完了フラグを前記試運転毎に記憶することができ、前記加熱給湯部（１）の電源が投入されたとき、記憶されている前記試運転完了フラグの状態を確認し、複数の前記試運転完了フラグの一部が成立状態ではない場合は、前記試運転モードに移行して成立状態ではない前記試運転完了フラグに対応する前記試運転を行わせ、複数の前記試運転完了フラグの全てが成立状態である場合は前記試運転を行わせずに使用者からの前記通常運転入力を受け付ける通常運転モードに移行する、
請求項１に記載の給湯システム（１００）。
【請求項６】
前記制御装置（５）は、前記加熱給湯部（１）の電源が切られたときも前記第１試運転完了フラグの記録を保持することができる、
請求項１から５のいずれかに記載の給湯システム（１００）。
【請求項７】
水を加熱して温水を生成し前記温水を給湯口（１１，１２ｂ）に供給する給湯システム（１００）の制御方法であって、
前記給湯システム（１００）の電源が投入されたときに、前記給湯システム（１００）の動作を確認するための第１試運転が完了したことを示す第１試運転完了フラグの状態が確認されるフラグ確認ステップ（Ｓ２，Ｓ５）と、
前記フラグ確認ステップ（Ｓ２，Ｓ５）において、前記第１試運転完了フラグが成立状態ではない場合に、使用者からの通常運転入力を受け付けない試運転モードに移行して前記第１試運転が行われる第１試運転実行ステップ（Ｓ６）と、
前記第１試運転実行ステップ（Ｓ６）において、前記第１試運転が完了した場合は、前記第１試運転完了フラグが成立状態として記憶されるフラグ記憶ステップ（Ｓ７）と、
を備える給湯システム（１００）の制御方法。
【発明の詳細な説明】
【技術分野】
【０００１】
本発明は、給湯システムおよび給湯システムの制御方法に関する。
【背景技術】
【０００２】
従来、水を加熱して温水を生成し、生成された温水を給湯口に供給する給湯システムが知られている（特許文献１参照）。このような給湯システムが施工される際、施工が適切に行われて給湯システムが正常に動作するかを確認するために、試運転が行われることが通常である。
【特許文献１】特開２００４−１３２６５９号
【発明の開示】
【発明が解決しようとする課題】
【０００３】
給湯システムの施工者が上記の試運転を行うことを忘れた場合、後に施工不良による運転異常が発生する恐れがある。また、この場合、施工後の給湯システムでは、施工時に試運転が行われた否かを確認することはできず、異常の発生原因が施工不良であるのか製品の不良であるのかを判別することが困難である。
本発明の課題は、試運転を確実に行わせることができると共に、試運転の実行の有無を判別することができる給湯システムおよび給湯システムの制御方法を提供することにある。
【課題を解決するための手段】
【０００４】
第１発明に係る給湯システムは、加熱給湯部と、制御装置とを備える。加熱給湯部は、水を加熱して温水を生成し、温水を給湯口に供給する。制御装置は、加熱給湯部を制御して加熱給湯部の動作を確認するための第１試運転を行わせ、第１試運転が完了した場合には第１試運転が完了したことを示す第１試運転完了フラグを成立状態として記憶する。また、制御装置は、加熱給湯部の電源が投入されたとき、記憶されている第１試運転完了フラグの状態を確認し、第１試運転完了フラグが成立状態ではない場合は使用者からの通常運転入力を受け付けない試運転モードに移行して第１試運転を行わせる。
【０００５】
この給湯システムでは、第１試運転が完了した場合は、第１試運転完了フラグが成立状態として制御装置に記憶される。このため、試運転の実行の有無を判別することができる。また、加熱給湯部の電源が投入されたときに、制御装置に記憶されている第１試運転完了フラグの状態が確認され、第１試運転完了フラグが成立状態ではない場合は試運転モードに移行して強制的に第１試運転が行われる。このため、試運転の実行忘れを防止して確実に試運転を行わせることができる。
【０００６】
第２発明に係る給湯システムは、第１発明の給湯システムであって、制御装置は、加熱給湯部の電源が投入されたときに第１試運転完了フラグが成立状態である場合は、第１試運転を行わせずに使用者からの通常運転入力を受け付け可能とする通常運転モードに移行する。
この給湯システムでは、加熱給湯部の電源が投入されたときに第１試運転完了フラグが成立状態である場合は、通常運転モードに移行する。このため、既に完了した第１試運転が繰り返し実行されることを防止することができる。
【０００７】
第３発明に係る給湯システムは、第１発明の給湯システムであって、制御装置は、加熱給湯部を制御して第１試運転と異なる第２試運転を行わせることができ、第２試運転が完了した場合には第２試運転が完了したことを示す第２試運転完了フラグを成立状態として記憶し、加熱給湯部の電源が投入されたときに第２試運転完了フラグが成立状態ではない場合は試運転モードに移行して第２試運転を行わせる。
この給湯システムでは、第１試運転完了フラグと第２試運転完了フラグとが記憶されることによって、異なる複数の試運転の実行の有無を把握することができる。また、複数のうち一部の試運転の実行が忘れられることを防止することができる。
【０００８】
第４発明に係る給湯システムは、第３発明の給湯システムであって、制御装置は、加熱給湯部の電源が投入されたときに第１試運転完了フラグと第２試運転完了フラグが共に成立状態である場合は、第１試運転および第２試運転を行わせずに使用者からの通常運転入力を受け付け可能とする通常運転モードに移行する。
この給湯システムでは、第１試運転および第２試運転が共に完了済みである場合には通常運転モードに移行する。このため、既に完了済みの試運転が繰り返し行われることを防止することができる。
【０００９】
第５発明に係る給湯システムは、第１発明の給湯システムであって、制御装置は、第１試運転を含む複数の試運転を行わせ、試運転が完了したことを示す試運転完了フラグを試運転毎に記憶することができる。そして、制御装置は、加熱給湯部の電源が投入されたとき、記憶されている試運転完了フラグの状態を確認し、複数の試運転完了フラグの一部が成立状態ではない場合は、試運転モードに移行して成立状態ではない試運転完了フラグに対応する試運転を行わせ、複数の試運転完了フラグの全てが成立状態である場合は試運転を行わせずに使用者からの通常運転入力を受け付ける通常運転モードに移行する、
この給湯システムでは、複数の試運転のうち完了していない試運転のみが実行される。また、全ての試運転が完了している場合は試運転を行わずに通常運転モードに移行する。このため、複数の試運転のうち未完了の試運転を確実に実行させることができると共に、既に完了済みである試運転が繰り返し行われることを防止することができる。
【００１０】
第６発明に係る給湯システムは、第１発明から第５発明のいずれかの給湯システムであって、制御装置は、加熱給湯部の電源が切られたときも第１試運転完了フラグの記録を保持することができる。なお、加熱給湯部の電源が切られたときとは、電源装置が操作されて意図的に電源が切られた場合の他、停電などによって給電が停止した場合も含む。
この給湯システムでは、加熱給湯部の電源が切られたときであっても第１試運転完了フラグが記憶装置に記憶されたまま保持される。これにより、加熱給湯部の電源が再び投入されたときに既に完了した第１試運転が繰り返されることを防止することができる。
【００１１】
第７発明に係る給湯システムは、水を加熱して温水を生成し温水を給湯口に供給する給湯システムの制御方法であって、フラグ確認ステップと、第１試運転実行ステップと、フラグ記憶ステップとを備える。フラグ確認ステップでは、給湯システムの電源が投入されたときに、給湯システムの動作を確認するための第１試運転が完了したことを示す第１試運転完了フラグの状態が確認される。第１試運転実行ステップでは、フラグ確認ステップにおいて、第１試運転完了フラグが成立状態ではない場合に、使用者からの通常運転入力を受け付けない試運転モードに移行して第１試運転が行われる。フラグ記憶ステップでは、第１試運転実行ステップにおいて第１試運転が完了した場合は、第１試運転完了フラグが成立状態として記憶される。
【００１２】
この給湯システムの制御方法では、第１試運転が完了した場合は、第１試運転完了フラグが成立状態として記憶される。このため、試運転の実行の有無を判別することができる。また、給湯システムの電源が投入されたときに、記憶されている第１試運転完了フラグの状態が確認され、第１試運転完了フラグが成立状態ではない場合は試運転モードに移行して強制的に第１試運転が行われる。このため、試運転の実行忘れを防止して確実に試運転を行わせることができる。
【発明の効果】
【００１３】
第１発明に係る給湯システムでは、第１試運転が完了した場合は、第１試運転完了フラグが成立状態として制御装置に記憶される。このため、試運転の実行の有無を判別することができる。また、加熱給湯部の電源が投入されたときに、制御装置に記憶されている第１試運転完了フラグの状態が確認され、第１試運転完了フラグが成立状態ではない場合は試運転モードに移行して強制的に第１試運転が行われる。このため、試運転の実行忘れを防止して確実に試運転を行わせることができる。
【００１４】
第２発明に係る給湯システムでは、加熱給湯部の電源が投入されたときに第１試運転完了フラグが成立状態である場合は、通常運転モードに移行する。このため、既に完了した第１試運転が繰り返し実行されることを防止することができる。
第３発明に係る給湯システムでは、第１試運転完了フラグと第２試運転完了フラグとが記憶されることによって、異なる複数の試運転の実行の有無を把握することができる。また、複数のうち一部の試運転の実行が忘れられることを防止することができる。
【００１５】
第４発明に係る給湯システムでは、第１試運転および第２試運転が共に完了済みである場合には通常運転モードに移行する。このため、既に完了済みの試運転が繰り返し行われることを防止することができる。
第５発明に係る給湯システムでは、複数の試運転のうち完了していない試運転のみが実行される。また、全ての試運転が完了している場合は試運転を行わずに通常運転モードに移行する。このため、複数の試運転のうち未完了の試運転を確実に実行させることができると共に、既に完了済みである試運転が繰り返し行われることを防止することができる。
【００１６】
第６発明に係る給湯システムでは、加熱給湯部の電源が切られたときであっても第１試運転完了フラグが記憶装置に記憶されたまま保持される。これにより、加熱給湯部の電源が再び投入されたときに既に完了した第１試運転が繰り返されることを防止することができる。
第７発明に係る給湯システムでは、第１試運転が完了した場合は、第１試運転完了フラグが成立状態として記憶される。このため、試運転の実行の有無を判別することができる。また、給湯システムの電源が投入されたときに、記憶されている第１試運転完了フラグの状態が確認され、第１試運転完了フラグが成立状態ではない場合は試運転モードに移行して強制的に第１試運転が行われる。このため、試運転の実行忘れを防止して確実に試運転を行わせることができる。
【発明を実施するための最良の形態】
【００１７】
＜第１実施形態＞
本発明の第１実施形態に係る貯湯式給湯システム１００を図１に示す。この貯湯式給湯システム１００は、いわゆるヒートポンプ式の給湯システムであって、加熱給湯部１と、リモコン４（図３参照）と、制御装置５（図４参照）とを備える。加熱給湯部１は、水を加熱して温水を生成し、温水を水栓１１や浴槽１２の浴槽吐出口１２ｂなどの給湯口に供給する装置であり、熱源ユニット２と貯湯タンクユニット３とを有している。
【００１８】
〔熱源ユニット２〕
熱源ユニット２は、図２に示すように、圧縮機２１、水熱交換器２２、膨張弁２３、蒸発器２４を有しており、これらが順次接続されて冷凍サイクルを構成している。水熱交換器２２には、貯湯タンクユニット３から送られてくる水が通る熱交換水路２５が設けられており、熱交換水路２５を通る水と冷媒との間で熱交換を行うことができる。膨張弁２３は、電気的に制御される電磁弁であり、圧縮機２１と共に後述する制御装置５によって制御される。この熱源ユニット２では、圧縮機２１を駆動して冷媒を循環させることにより、水熱交換器２２を凝縮器として機能させ、熱交換水路２５を通る水を加熱することができる。
【００１９】
〔貯湯タンクユニット３〕
貯湯タンクユニット３は、熱源ユニット２によって加熱された温水を蓄えておき、蓄えた温水を浴槽１２や水栓１１に供給する際に使用することができる装置である。貯湯タンクユニット３は、貯湯タンク６、水源取水部７、沸き上げ部８、給湯部９、追い炊き部１０を有している。
【００２０】
〈貯湯タンク６〉
貯湯タンク６は、熱源ユニット２によって加熱された温水を蓄える。貯湯タンク６の下部には下部取水口６１が設けられており、貯湯タンク６の上部には上部吐出口６２が設けられている。下部取水口６１は、水道等の水源からの冷水を貯湯タンク６内に取り入れるための部分である。上部吐出口６２は、貯湯タンク６に蓄えられた温水を貯湯タンク６から吐出して給湯部９に供給するための部分である。また、貯湯タンク６の下部には下部吐出口６３が設けられており、貯湯タンク６の上部には上部取水口６４が設けられている。下部吐出口６３は、貯湯タンク６内に蓄えられた温水を貯湯タンク６から吐出して沸き上げ部８に供給するための部分である。上部取水口６４は、熱源ユニット２によって加熱された温水を貯湯タンク６内に取り入れるための部分である。また、貯湯タンク６の下部には、下部循環入口６５が設けられ、貯湯タンク６の上部には上部循環出口６６が設けられている。上部循環出口６６は、追い炊き運転時に貯湯タンク６から後述する貯湯タンク循環路１３に吐出される温水が通る出口である。下部循環入口６５は、追い炊き運転時に貯湯タンク循環路１３から貯湯タンク６に戻される温水が通る入口である。
なお、貯湯タンク６の下部には排水口６７が設けられている。排水口６７は、タンク排水路６８に接続されており、貯湯タンク６内から排出される水が通る。
【００２１】
〈水源取水部７〉
水源取水部７は、水源からの冷水を貯湯タンク６や給湯部９に供給するための部分であり、水源取水路７０と、減圧逆止弁７１と、逆止弁７２とを有している。水源取水路７０は、水源に接続される外部取水口７３と、貯湯タンク６の下部取水口６１、水栓給湯部９１の第１混合弁９３（後述）、浴槽給湯部９２の第２混合弁９６（後述）とを繋いでいる。減圧逆止弁７１は、水源取水路７０に設けられており、貯湯タンク６、水栓給湯部９１、浴槽給湯部９２に供給される冷水の量を制御することができると共に、水源への水の逆流を防止する。また、逆止弁７２は、減圧逆止弁７１と、貯湯タンク６の下部取水口６１との間に設けられており、貯湯タンク６からの水の逆流を防止する。
【００２２】
〈沸き上げ部８〉
沸き上げ部８は、貯湯タンク６に蓄えられた水を熱源ユニット２に送り、熱源ユニット２によって加熱された温水を貯湯タンク６に戻す部分である。沸き上げ部８は、第１沸き上げ水路８１、第２沸き上げ水路８２、第３沸き上げ水路８３、沸き上げポンプ８４、三方切替弁８５を有する。第１沸き上げ水路８１は、貯湯タンク６の下部吐出口６３と、熱源ユニット２の熱交換水路２５の上流側とを繋いでいる。第２沸き上げ水路８２と第３沸き上げ水路８３とは、熱源ユニット２の熱交換水路２５の下流側と貯湯タンク６の上部取水口６４とを繋いでいる。沸き上げポンプ８４は、第１沸き上げ水路８１に設けられており、貯湯タンク６から第１沸き上げ水路８１、熱交換水路２５、第２沸き上げ水路８２、第３沸き上げ水路８３を経て貯湯タンク６に戻る水の流れを生成する。三方切替弁８５は第２沸き上げ水路８２と第３沸き上げ水路８３とタンク排水路６８とに接続されている。三方切替弁８５は、電気的に制御される電磁弁であり、第２沸き上げ水路８２と第３沸き上げ水路８３とを接続した状態と、第２沸き上げ水路８２とタンク排水路６８とを接続した状態とに切り替え可能である。
【００２３】
〈給湯部９〉
給湯部９は、貯湯タンク６に蓄えられた温水を水栓１１や浴槽１２に供給する部分であり、給湯路９０と、水栓給湯部９１と、浴槽給湯部９２とを有する。
給湯路９０は、貯湯タンク６の上部吐出口６２と、水栓給湯部９１および浴槽給湯部９２とを繋ぐ水路である。
【００２４】
水栓給湯部９１は、貯湯タンク６の温水や水源からの冷水を水栓１１に供給する部分であり、水栓給湯路９４と第１混合弁９３とを有する。水栓給湯路９４は、第１混合弁９３を介して、給湯路９０と水源取水路７０とに接続されており、給湯路９０および水源取水路７０と水栓１１とを繋ぐ水路である。第１混合弁９３は、電気的に制御される電磁弁であり、給湯路９０と水栓給湯路９４とを接続した状態と、水源取水路７０と水栓給湯路９４を接続した状態とを切り替えることができる。また、第１混合弁９３は、給湯路９０を通ってきた温水と、水源取水路７０を通ってきた冷水とを混合して、所望の温度の温水を水栓給湯路９４に送ることもできる。なお、第１混合弁９３と給湯路９０とが接続される部分には逆止弁９３ａが設けられており、貯湯タンク６への水の逆流が防止されている。また、第１混合弁９３と水源取水路７０とが接続される部分には逆止弁９３ｂが設けられており、水源への水の逆流が防止されている。
【００２５】
浴槽給湯部９２は、貯湯タンク６の温水や水源からの冷水を浴槽１２に供給する部分であり、浴槽給湯路９５と第２混合弁９６と複合水弁９７とを有する。浴槽給湯路９５は、第２混合弁９６を介して、給湯路９０と水源取水路７０とに接続されており、給湯路９０および水源取水路７０と浴槽１２とを繋ぐ水路である。第２混合弁９６は、電気的に制御される電磁弁であり、給湯路９０と浴槽給湯路９５とを接続した状態と、水源取水路７０と浴槽給湯路９５とを接続した状態とを切り替えることができる。また、第２混合弁９６は、給湯路９０を通ってきた温水と、水源取水路７０を通ってきた冷水とを混合して、所望の温度の温水を浴槽給湯路９５に送ることもできる。なお、第２混合弁９６と給湯路９０とが接続される部分には逆止弁９６ａが設けられており、貯湯タンク６への水の逆流が防止されている。複合水弁９７は、流量調整弁９７ａと排水弁９７ｂと逆止弁９７ｃ，９７ｄとが一体化された電磁弁であり、電気的に制御されることにより、浴槽１２に供給される温水の量を調整したり、排水路９８を介して水を外部に排水したりすることができる。
【００２６】
〈追い炊き部１０〉
追い炊き部１０は、浴槽１２に蓄えられた温水を回収して貯湯タンク６に蓄えられた温水と熱交換を行わせた後に浴槽１２に戻す部分であり、貯湯タンク循環路１３と、タンク循環ポンプ１４と、浴槽循環路１５と、浴槽循環ポンプ１６と、追い炊き熱交換部１７とを有している。
【００２７】
貯湯タンク循環路１３は、貯湯タンク６の上部循環出口６６と追い炊き熱交換部１７と下部循環入口６５とを繋ぐ水路である。タンク循環ポンプ１４は、貯湯タンク６の内部から上部循環出口６６を通って吐出され貯湯タンク循環路１３を通り下部循環入口６５を通って貯湯タンク６に戻される水の流れを生成する。浴槽循環路１５は、浴槽１２から回収される水が通る浴槽回収口１２ａと、追い炊き熱交換部１７と、浴槽１２に吐出される水が通る浴槽吐出口１２ｂとを繋ぐ水路である。浴槽循環ポンプ１６は、浴槽１２の内部から浴槽回収口１２ａを通り浴槽循環路１５を通って浴槽吐出口１２ｂから浴槽１２に戻される水の流れを生成する。なお、貯湯タンク循環路１３のうち追い炊き熱交換部１７の下流であり且つ浴槽循環ポンプ１６の上流である部分には、浴槽給湯路９５が接続されている。このため、浴槽給湯部９２によって浴槽１２に供給される温水は、浴槽給湯路９５から浴槽循環路１５に入り、浴槽循環路１５の一部を通って浴槽１２に供給される。
【００２８】
追い炊き熱交換部１７は、貯湯タンク循環路１３を通る高温の温水と、浴槽循環路１５を通る温水との間で熱交換を行わせる。
〈温度検出部および水量検出部〉
貯湯タンクユニット３には、以下に示すような様々な温度検出部および水量検出部が設けられており、上述した水路の各部の温度や水量を検出して後述する制御装置５へと送る。
【００２９】
貯湯タンク６には、貯湯タンク６に蓄えられた温水の温度である貯湯温度を検出する貯湯温度検出部Ｔｈが設けられている。貯湯温度検出部Ｔｈは、頂上部サーミスタＴｈ０と、第１残湯量サーミスタＴｈ１から第５残湯量サーミスタＴｈ５までの５つの残湯量サーミスタとを有している。これらのサーミスタＴｈ０−Ｔｈ５は、貯湯タンク６内において異なる高さに配置されており、貯湯温度検出部Ｔｈは、貯湯タンク６において高さの異なる複数位置の温水の温度を検出することができる。
【００３０】
また、浴槽循環路１５には、浴槽温度検出部Ｔｈ６と浴槽水量検出部ＳＮ１とが設けられている。浴槽温度検出部Ｔｈ６は、浴槽循環路１５において追い炊き熱交換部１７の上流に配置されたサーミスタであり、浴槽１２に蓄えられた温水の温度である浴槽温度を検出することができる。浴槽水量検出部ＳＮ１は、浴槽１２に残された温水の水位を検出する水位センサであり、浴槽に蓄えられた温水の水量である浴槽水量を検出することができる。
【００３１】
水源取水路７０には、水源から貯湯タンク６に供給される冷水の温度を検出する水源温度検出部Ｔｈ７が設けられている。水栓給湯路９４には、水栓１１に供給される水の温度を検出する水栓給湯温度検出部Ｔｈ８が設けられている。浴槽給湯路９５には、浴槽１２に供給される温水の温度を検出する浴槽給湯温度検出部Ｔｈ９が設けられている。また、複合水弁９７には、浴槽給湯部９２によって浴槽１２に供給される温水の量を検出する浴槽給湯水量検出部ＳＮ２が設けられている。
【００３２】
また、図２に示すように、熱源ユニット２には、圧縮機２１からの冷媒の吐出温度を検出する吐出温度サーミスタ２６、蒸発器２４での冷媒の蒸発温度を検出する蒸発温度サーミスタ２７、水熱交換器２２での冷媒の凝縮温度を検出する凝縮温度サーミスタ２８などの冷媒温度検出部と、水熱交換器２２において加熱されて熱源ユニット２から貯湯タンク６へと吐出される温水の温度を検出する沸き上げ温度検出部Ｔｈ１０などが設けられている。
【００３３】
〔リモコン４〕
リモコン４は、台所や浴室に配置され、図３に示すように、操作部４１と表示部４２とを有している。
操作部４１は、各種の操作ボタンによって構成されており、使用者から各種の通常運転の実行や各種の数値の設定などの入力を受け付ける。各種の通常運転とは、例えば、浴槽給湯運転、追い炊き運転、沸き増し運転などである。これらの運転の内容については後述する。各種の数値の設定とは、水栓１１へ供給される温水の目標温度である水栓目標温度、浴槽１２に供給される温水の目標温度である浴槽目標温度、浴槽１２に供給される温水の目標水位である浴槽目標水位などである。リモコン４は、操作部４１から入力された運転内容や設定値を制御信号として制御装置５に送る。
表示部４２は、例えば、液晶モニタによって構成されており、操作部４１から入力されて設定された浴槽目標温度、水栓目標温度など設定値や残湯量表示４３などの各種の情報を表示する。
【００３４】
〔制御装置５〕
制御装置５は、熱源ユニット２や貯湯タンクユニット３に分かれて設けられており、図４に示すように、マイクロコンピューター（図示せず）、通信装置（図示せず）、記憶部５１などを有している。
【００３５】
制御装置５は、リモコン４、上述した各種の温度検出部Ｔｈ、Ｔｈ０−Ｔｈ１０、水量検出部ＳＮ１，ＳＮ２、各種の電磁弁２３，７１，８５，９３，９６，９７、ポンプ１４，１６，８４、圧縮機２１、各種の冷媒温度検出部２６−２８等と電気的に接続されており、リモコン４からの制御信号、温度検出部Ｔｈ、Ｔｈ０−Ｔｈ１０や水量検出部ＳＮ１，ＳＮ２等からの検出信号等に基づいて熱源ユニット２や貯湯タンクユニット３の制御を行う。また、制御装置５は、リモコン４の操作部４１での入力内容や、温度検出部Ｔｈ、Ｔｈ０−Ｔｈ１０や水量検出部ＳＮ１，ＳＮ２などからの検出信号等に基づいて表示部４２に各種の情報を表示させることができる。
【００３６】
また、制御装置５は、加熱給湯部１の電源投入時に、加熱給湯部１を制御して加熱給湯部１の動作を確認するための各種の試運転を行わせることができる。これらの試運転は、使用者からの通常運転入力を受け付けない試運転モードが開始されることによって行われる。この制御装置５によって行われる試運転や試運転モードの内容について後に詳述する。なお、加熱給湯部１の電源投入時とは、制御装置５の電源スイッチが入れられた時を意味している。
【００３７】
以下、制御装置５が熱源ユニット２や貯湯タンクユニット３を制御することによって行われる各種の運転内容について説明する。
沸き上げ運転は、貯湯タンク６に蓄えられた水を熱源ユニット２によって加熱した後に貯湯タンク６に戻すことにより、貯湯タンク６に温水を蓄える運転である。この沸き上げ運転では、沸き上げポンプ８４と圧縮機２１とが駆動される。これにより、貯湯タンク６の下部吐出口６３から貯湯タンク６内の水が吐出され、第１沸き上げ水路８１、熱交換水路２５、第２沸き上げ水路８２、第３沸き上げ水路８３を経て貯湯タンク６に戻る。このとき、水熱交換器２２は凝縮器として機能しており、熱交換水路２５を通る水を加熱する。これにより、貯湯タンク６に温水を蓄えることができる。なお、制御装置５には、使用者による浴槽１２や水栓１１での温水の使用履歴が記憶されており、この使用履歴に基づいて沸き上げ運転が行われる時間帯や貯湯タンク６に蓄えられる温水の量などが決定され、自動的に沸き上げ運転が行われる。ただし、リモコン４の操作部４１によって、沸き上げ運転が行われる時間帯や温水の量を指定することも可能である。
【００３８】
浴槽給湯運転は、貯湯タンク６に蓄えられた温水を浴槽１２に供給して所望の温度および量の温水を浴槽１２に蓄える運転である。この浴槽給湯運転では、浴槽循環ポンプ１６が駆動され、第２混合弁９６と複合水弁９７とが制御されることにより、貯湯タンク６内の温水が、給湯路９０、浴槽給湯路９５、浴槽循環路１５を通って浴槽１２に供給される。このとき、浴槽１２に供給される温水の温度が、設定された浴槽目標温度となるように、第２混合弁９６が制御されて、水源からの冷水と貯湯タンク６からの温水とが混合される。この浴槽給湯運転は、リモコン４の操作部４１が操作されることにより直ちに開始され、又は、リモコン４に予め入力された予約時間に自動的に開始される。そして、浴槽１２の水位が設定された浴槽目標水位に達すると自動的に停止される。
【００３９】
追い炊き運転は、浴槽１２に蓄えられた温水を回収して貯湯タンク６に蓄えられた温水と熱交換を行わせた後に浴槽１２に戻すことにより、浴槽１２に蓄えられた温水の温度を上昇させる運転である。これにより、貯湯タンク６に蓄えられた温水を減少させずに追い炊きを行うことができる。この追い炊き運転では、タンク循環ポンプ１４と浴槽循環ポンプ１６とが駆動されることにより、貯湯タンク６の温水が貯湯タンク循環路１３を循環すると共に、浴槽１２内の温水が浴槽循環路１５を循環する。そして、追い炊き熱交換部１７において、貯湯タンク循環路１３を循環する高温の温水と浴槽循環路１５を循環する温水とが熱交換を行うことにより、浴槽循環路１５を循環する温水が加熱される。この追い炊き運転は、リモコン４の操作部４１が操作されることによって開始され、浴槽１２に蓄えられた温水の温度（浴槽温度）が、設定された浴槽目標温度に達すると停止される。
【００４０】
沸き増し運転は、リモコン４からの指示に基づいて、上記の沸き上げ運転を行う運転であり、リモコン４の操作部４１を操作することにより使用者が任意に行うことができる。例えば、貯湯タンク６に蓄えられた温水が不足している場合に行われることにより、貯湯タンク６に温水を追加することができる。
〔電源投入時の制御フロー〕
上述したように、この貯湯式給湯システム１００では、制御装置５は、加熱給湯部１の電源投入時に、試運転モードを開始させ、各種の試運転を行わせることができる。以下、制御装置５によって行われる電源投入時の制御フローについて図５に基づいて説明する。
【００４１】
まず、第１ステップＳ１において、加熱給湯部１の電源が投入されると、第２ステップＳ２において、記憶部５１に記憶されている２種類の試運転完了フラグの状態が確認される。なお、記憶部５１は、不揮発性メモリなどの電源が切られている間も記憶内容を保持することができるメモリであり、前回使用時の試運転完了フラグの状態がそのまま保持されている。２種類の試運転確認フラグの１つは、沸き上げ試運転完了フラグ（第１試運転完了フラグ）であり、もう１つは、浴槽給湯試運転完了フラグ（第２試運転完了フラグ）である。なお、図５において、「ＦＧ１」は沸き上げ試運転完了フラグを示しており、「ＦＧ２」は浴槽給湯試運転完了フラグを示している。沸き上げ試運転完了フラグは、沸き上げ試運転（第１試運転）が既に完了していることを示すフラグである。浴槽給湯試運転完了フラグは、浴槽給湯試運転（第２試運転）が既に完了していることを示すフラグである。これらの試運転完了フラグの少なくとも一方が不成立状態すなわち「ＯＦＦ」である場合は、第３ステップＳ３に進む。これらの試運転完了フラグの両方が不成立状態ではない場合は、第１１ステップＳ１１に進む。この場合は、沸き上げ試運転と浴槽給湯試運転との両方の試運転が既に実施済みであり、試運転をさらに行う必要はないため、試運転は行われずに第１１ステップＳ１１において通常運転モードが開始される。通常運転モードでは、使用者からの通常運転入力が受け付け可能とされる。通常運転入力は、上述した浴槽給湯運転等の運転指令であり、使用者がリモコン４の操作部４１を操作することによって入力することができる。なお、通常運転モードでは、上述した沸き上げ運転も開始可能となる。
【００４２】
第３ステップＳ３では、試運転モードが開始される。試運転モードは、使用者からの通常運転入力が受け付けられず強制的に試運転が開始されるモードである。
試運転モードが開始されると、まず、第４ステップＳ４において、空気抜き運転が実行される。この空気抜き運転では、貯湯タンクユニット３の各種のポンプ１４，１６，８４が駆動され、貯湯タンクユニット３が有する各種の水路に水が満たされる。空気抜き運転は所定時間経過後に自動的に停止される。
【００４３】
次に、第５ステップＳ５において、記憶部５１に記憶されている沸き上げ試運転完了フラグが成立状態、すなわち、「ＯＮ」であるか否かが確認される。沸き上げ試運転完了フラグが成立状態ではない場合、すなわち不成立状態である場合は第６ステップＳ６に進む。沸き上げ試運転完了フラグが成立状態である場合は、第８ステップＳ８に進む。
第６ステップＳ６では、沸き上げ試運転が実行される。沸き上げ試運転は、熱源ユニット２や貯湯タンクユニット３において水路を構成する配管の接続が適切に行われているかを確認するために行われる。ここでは、上述した沸き上げ運転と同様の運転が行われると共に、所定の試運転条件が満たされるか否かがチェックされる。所定の試運転条件とは、例えば、熱源ユニット２での冷媒の温度や沸き上げ温度検出部Ｔｈ１０が検出した温度などが正常範囲となるか否かなどの条件である。この所定の試運転条件が満たされた場合は、沸き上げ試運転が完了したものとして第７ステップＳ７に進む。なお、所定の試運転条件が満たされない場合は、試運転が中止され、リモコン４の表示部４２に、発生した異常に対応するエラーコードが表示される。
【００４４】
第７ステップＳ７では、沸き上げ試運転完了フラグが成立状態として記憶部５１に記憶され、第８ステップＳ８に進む。
第８ステップＳ８では、記憶部５１に記憶されている浴槽給湯試運転完了フラグが成立状態、すなわち、「ＯＮ」であるか否かが確認される。浴槽給湯試運転完了フラグが成立状態ではない場合、すなわち不成立状態である場合は第９ステップＳ９に進む。浴槽給湯試運転完了フラグが成立状態である場合は、第１１ステップＳ１１に進み通常運転モードに移行する。
【００４５】
第９ステップＳ９では、浴槽給湯試運転が実行される。浴槽給湯試運転は、浴槽１２と貯湯タンク６との位置関係を確認するために行われる。ここでは、上述した浴槽給湯運転と同様の運転が行われることにより、浴槽１２の所定水位（例えば、浴槽吐出口１２ｂの高さ）まで水が供給される。そして、浴槽水量検出部ＳＮ１において、この所定水位と水圧との対応が確認され設定される。次に、所定量の水が浴槽１２に供給され、供給された水の量と水位の変化との対応が確認され設定される。これにより、浴槽１２の大きさが把握される。浴槽給湯試運転が完了すると、第１０ステップＳ１０に進む。
【００４６】
第１０ステップＳ１０では、浴槽給湯試運転完了フラグが成立状態として記憶部５１に記憶される。そして、ステップＳ１１に進み、通常運転モードに移行する。
この貯湯式給湯システム１００では、加熱給湯部１の電源が投入されるたびに、上記の制御フローが実行される。
なお、試運転モード中は原則としてリモコン４の操作部４１による操作は無効とされているが、通常運転の操作とは異なる特殊な操作をすることによって試運転モードを強制的に終了させることも可能である。例えば、操作部４１の特定のボタンを長押しすることによって試運転モードが解除される。なお、このとき、試運転完了フラグが成立状態となっている場合は、その試運転完了フラグはリセットされずにそのまま保持される。
【００４７】
〔特徴〕
この貯湯式給湯システム１００では、電源投入時に、記憶部５１に記憶された沸き上げ試運転完了フラグおよび浴槽給湯試運転完了フラグを確認することにより、沸き上げ試運転と浴槽給湯試運転とが既に完了しているか否かを判別することができる。そして、沸き上げ試運転と浴槽給湯試運転とのいずれも完了済みである場合には、試運転は行われずに通常運転モードが開始される。また、沸き上げ試運転と浴槽給湯試運転との少なくとも一方が未完了である場合には、試運転モードに自動的に移行して、未完了である試運転が強制的に実行される。この場合、一方の試運転が既に完了している場合には、その試運転は行われず、未完了である試運転のみが実行される。これにより、既に完了した試運転が繰り返し行われることが防止される。また、試運転の実行忘れや意図的な省略を防止することができる。
さらに、試運転完了フラグは、加熱給湯部１の電源のＯＮ／ＯＦＦや長時間の停電などによってもリセットされずに記憶部５１に保持される。これにより、加熱給湯部１の再通電時に試運転モードが繰り返されることを防止することができる。
【００４８】
＜第２実施形態＞
上記の第１実施形態では、沸き上げ試運転完了フラグと浴槽給湯試運転完了フラグとの２種類の試運転完了フラグが記憶され確認されているが、単一の試運転完了フラグのみが記憶され確認されてもよい。
【００４９】
例えば、浴槽給湯部９２が備えられておらず温水が供給される給湯口が水栓１１のみである水栓給湯専用の貯湯式給湯システムの場合には、浴槽給湯試運転は行われず、浴槽給湯試運転完了フラグも記憶されない。従って、沸き上げ試運転完了フラグのみが記憶され確認される。この場合の制御フローを図６に示す。この制御フローは、図５に示す第１実施形態の制御フローから浴槽給湯試運転に関する第８ステップＳ８〜第１０ステップＳ１０が省略されたものである。ここでは、図５に示す制御フローと同じ処理内容のステップには同符号を付し、詳しい説明は省略する。
【００５０】
この制御フローでは、電源投入時に、沸き上げ試運転が既に完了しているか否かを確認することができ、沸き上げ試運転が既に完了している場合には、沸き上げ試運転を行わずに通常運転モードが開始される。これにより、電源が投入されるたびに沸き上げ試運転が繰り返し行われることが防止される。また、沸き上げ試運転が未完了である場合には、試運転モードが開始され沸き上げ試運転が実行される。これにより、沸き上げ試運転の実行し忘れや省略を防止することができる。
【００５１】
＜他の実施形態＞
（Ａ）
上記の実施形態では、１つまたは２つの試運転の完了が試運転完了フラグによって確認されているが、３つ以上の試運転の完了が確認されてもよい。この場合、複数の試運転のそれぞれに対応する複数の試運転完了フラグが記憶部５１に記憶される。そして、複数の試運転のうち一部の試運転が未完了である場合は、加熱給湯部１の電源投入時に試運転モードが開始され、未完了である試運転のみが実行される。また、複数の試運転の全てが完了済みである場合は、試運転モードは開始されずに通常運転モードが開始される。
【００５２】
（Ｂ）
上記の実施形態では、記憶部５１として不揮発性メモリが例示されているが、加熱給湯部１の電源のＯＮ／ＯＦＦに関わらず記録を保持できるものであれば、これに限られるものではない。
（Ｃ）
上記の実施形態では、制御装置５はリモコン４とは別の装置として記載されているが、リモコン４と一体とされたり、リモコン４にその一部が設けられたりするものであってもよい。
【産業上の利用可能性】
【００５３】
本発明は、試運転を確実に行わせることができると共に、試運転の実行の有無を判別することができる効果を有し、給湯システムおよび給湯システムの制御方法として有用である。
【図面の簡単な説明】
【００５４】
【図１】貯湯式給湯システムの構成を示す図。
【図２】熱源ユニットの構成を示す図。
【図３】リモコンの構成を示す図。
【図４】貯湯式給湯システムの制御ブロック図。
【図５】第１実施形態に係る電源投入時の制御フロー。
【図６】第２実施形態に係る電源投入時の制御フロー。
【符号の説明】
【００５５】
１        加熱給湯部
５        制御装置
１１      水栓（給湯口）
１２ｂ    浴槽吐出口（給湯口）
１００    貯湯式給湯システム（給湯システム）
Ｓ２      第２ステップ（フラグ確認ステップ）
Ｓ５      第５ステップ（フラグ確認ステップ）
Ｓ６      第６ステップ（第１試運転実行ステップ）
Ｓ７      第７ステップ（フラグ記憶ステップ）
【図１】
2007285657.tif 000003
【図２】
2007285657.tif 000004
【図３】
2007285657.tif 000005
【図４】
2007285657.tif 000006
【図５】
2007285657.tif 000007
【図６】
2007285657.tif 000008